(57)【要約】      （修正有）【課題】安全性を向上した、手すりを装着するための固定装置を提供する。【解決手段】発光穴１０１及び少なくとも１つの検知穴１０２を備える本体１０と、本体１０の内部に設置される電源ユニット２０と、本体１０の内部に設置されると共に、電源ユニット２０と電気接続される、基板３１と、発光ユニット３２と、明るさセンサ３３と、人感センサ３４を備える制御電路３０、を有する。該基板３１が電源ユニット２０と電気接続され、該発光ユニット３２が、本体１０の発光穴１０１に面して発光すると共に、該基板に設置され、該明るさセンサ３３が本体１０の検知穴１０２に面すると共に、該基板３１に設置され、該人感センサ３４が本体の検知穴１０２に面すると共に、該基板３１に設置される。更に、一端が本体１０に固定されると共に、他端が壁に固定される固定座４０と、一側が本体１０に連接されると共に、他側に手すり部Ａが取り付けられる装着座、を有する。【選択図】図３
0003215983.tif 000002
【実用新案登録請求の範囲】
【請求項１】
手すり部を装着するための手すり固定装置であって、
発光穴及び少なくとも１つの検知穴を備える、本体と、
前記本体の内部に設置される、電源ユニットと、
前記本体の内部に設置されると共に、前記電源ユニットと電気接続され、基板と、発光ユニットと、明るさセンサと、人感センサを備え、該基板が電源ユニットと電気接続され、該発光ユニットが、本体の発光穴に面して発光すると共に、基板と電気接続するように該基板に設置され、該明るさセンサが本体の検知穴に面すると共に、基板と電気接続するように該基板に設置され、該人感センサが本体の検知穴に面すると共に、基板と電気接続するように該基板に設置される、制御電路と、
一端が本体に固定されると共に、他端が壁に固定される、固定座と、
一側が本体に連接されると共に、他側に手すり部が取り付けられる、装着座、を有することを特徴とする手すり固定装置。
【請求項２】
前記発光穴が本体の底面に形成されると共に、前記少なくとも１つの検知穴が本体の側面に形成されることを特徴とする請求項１に記載の手すり固定装置。
【請求項３】
前記本体は、上部材及び下部材を備え、該下部材が着脱可能に上部材に取り付けられ、
前記固定座及び装着座が上部材に設置されることを特徴とする請求項１又は２に記載の手すり固定装置。
【請求項４】
前記発光穴及び少なくとも１つの検知穴がそれぞれ下部材に形成され、
前記制御電路が下部材の内部に設置されることを特徴とする請求項３に記載の手すり固定装置。
【請求項５】
前記下部材は、連接部及び取付部を備え、該連接部が着脱可能に上部材に取り付けられ、該取付部が連接部に固定され、
前記制御電路が取付部に固定されることを特徴とする請求項４に記載の手すり固定装置。
【請求項６】
前記電源ユニットは、電池ボックスであり、着脱可能に上部材の内部に設置されることを特徴とする請求項３乃至５の何れか１項に記載の手すり固定装置。
【請求項７】
前記電源ユニットと制御電路との間に環状部が設置され、
前記電源ユニットに、第一突起が制御電路に向かって凸設されると共に、環状部の中心を通過するように、制御電路に当接しながら電気接続することを特徴とする請求項６に記載の手すり固定装置。
【請求項８】
前記環状部における、電源ユニットに面する箇所に極性表示が設置されることを特徴とする請求項７に記載の手すり固定装置。
【請求項９】
前記電源ユニットが電源線を有することを特徴とする請求項１乃至８の何れか１項に記載の手すり固定装置。
【請求項１０】
遮光板が、発光ユニットと検知穴との間に設置されることを特徴とする請求項１乃至８の何れか１項に記載の手すり固定装置。
【考案の詳細な説明】
【技術分野】
【０００１】
本考案は、特に手すりを装着するための固定装置に関するものである。
【背景技術】
【０００２】
手すりは、階段や、壁面、廊下などに取り付けて、建築物の一部として行動の補助に使用されるものである。また、滑りやすく、または転倒しやすい場所、例えば、風呂場や、エレベーターなどにも手すりを取り付けて、転倒事故を防いでいる。
【考案の概要】
【考案が解決しようとする課題】
【０００３】
しかしながら、夕暮れ時や、夜間、暗所では、地面の段差や、障害物、水たまりなどがはっきりと見られないことから、不注意による接触で転倒する虞があったので、安全性を向上させる必要があった。
【課題を解決するための手段】
【０００４】
本考案に係る手すり固定装置は、手すり部を装着するためのものであり、
発光穴及び少なくとも１つの検知穴を備える、本体と、
前記本体の内部に設置される、電源ユニットと、
前記本体の内部に設置されると共に、前記電源ユニットと電気接続され、基板と、発光ユニットと、明るさセンサと、人感センサを備え、該基板が電源ユニットと電気接続され、該発光ユニットが、本体の発光穴に面して発光すると共に、基板と電気接続するように該基板に設置され、該明るさセンサが本体の検知穴に面すると共に、基板と電気接続するように該基板に設置され、該人感センサが本体の検知穴に面すると共に、基板と電気接続するように該基板に設置される、制御電路と、
一端が本体に固定されると共に、他端が壁に固定される、固定座と、
一側が本体に連接されると共に、他側に手すり部が取り付けられる、装着座、を有する。
【０００５】
かかる手すり固定装置において、
前記発光穴が本体の底面に形成されると共に、前記少なくとも１つの検知穴が本体の側面に形成されることが好ましい。
【０００６】
かかる手すり固定装置において、
前記本体は、上部材及び下部材を備え、該下部材が着脱可能に上部材に取り付けられ、
前記固定座及び装着座が上部材に設置されることが好ましい。
【０００７】
かかる手すり固定装置において、
前記発光穴及び少なくとも１つの検知穴がそれぞれ下部材に形成され、
前記制御電路が下部材の内部に設置されることが好ましい。
【０００８】
かかる手すり固定装置において、
前記下部材は、連接部及び取付部を備え、該連接部が着脱可能に上部材に取り付けられ、該取付部が連接部に固定され、
前記制御電路が取付部に固定されることが好ましい。
【０００９】
かかる手すり固定装置において、前記電源ユニットは、電池ボックスであり、着脱可能に上部材の内部に設置されることが好ましい。
【００１０】
かかる手すり固定装置において、
前記電源ユニットと制御電路との間に環状部が設置され、
前記電源ユニットに、第一突起が制御電路に向かって凸設されると共に、環状部の中心を通過するように、制御電路に当接しながら電気接続することが好ましい。
【００１１】
かかる手すり固定装置において、前記環状部における、電源ユニットに面する箇所に極性表示が設置されることが好ましい。
【００１２】
かかる手すり固定装置において、前記電源ユニットが電源線を有することが好ましい。
【００１３】
かかる手すり固定装置において、遮光板が、発光ユニットと検知穴との間に設置されることが好ましい。
【考案の効果】
【００１４】
本考案に係る手すり固定装置は、周囲の明るさを自動で調整することができ、人間などの生物が接近すると、発光ユニットが自動で駆動して周囲の壁及び手すりの下方を照明することができることから、手すりを装着すれば、手すりの周囲が暗くなった時、明るさセンサ及び人感センサにより照明を提供できるので、実用性を有すると共に、周囲の安全を確保することができる。
【図面の簡単な説明】
【００１５】
【図１】本考案に係る手すり固定装置の第一実施例の斜視図である。
【図２】本考案に係る手すり固定装置の第一実施例の側面図である。
【図３】本考案に係る手すり固定装置の第一実施例の側面断面図である。
【図４】本考案に係る手すり固定装置の第一実施例の部分分解斜視図である。
【図５】本考案に係る手すり固定装置の第一実施例における本体の分解斜視図である。
【図６】本考案に係る手すり固定装置の第二実施例における本体の側面断面図である。
【図７】本考案に係る手すり固定装置の第二実施例の分解斜視図である。
【図８】本考案に係る手すり固定装置の第二実施例における本体の分解斜視図である。
【考案を実施するための形態】
【００１６】
図１乃至図３に示すように、本考案に係る手すり固定装置は、手すり部Ａを装着することができ、本体１０と、電源ユニット２０と、制御電路３０と、固定座４０と、装着座５０を有する。
【００１７】
図３乃至図５に示すように、前記本体１０の底面に発光穴１０１が形成され、側面に少なくとも１つの検知穴１０２が形成される。尚、本実施例における本体１０は、上部材１１及び下部材１２を備え、前記発光穴１０１及び検知穴１０２は下部材１２に形成され、該下部材１２は、着脱可能に上部材１１に取り付けられると共に、連接部１２１及び取付部１２２を備え、そのうち連接部１２１は着脱可能に上部材１１に取り付けられ、該取付部１２２は連接部１２１に固定される。
【００１８】
前記電源ユニット２０は本体１０の内部に設置される。尚、本実施例における電源ユニット２０は電池ボックスであり、着脱可能に上部材１１の内部に取り付けられ、該本体１０の下部材１２は、上部材１１から取り外すことができることから、上部材１１の内部にある電池ボックスも上部材１１から取り外すことができるので、電池を交換することができる。
【００１９】
前記制御電路３０は、電源ユニット２０と電気接続するように、本体１０の内部に設置される。尚、本実施例における制御電路３０は、下部材１２の内部に位置するように、取付部１２２に固定され、基板３１と、発光ユニット３２と、明るさセンサ３３と、人感センサ３４を備え、そのうち基板３１は、電源ユニット２０と電気接続され、該発光ユニット３２は、本体１０の発光穴１０１に向かって発光すると共に、基板３１と電気接続するように、該基板３１に設置されることから、該発光ユニット３２により、本考案に係る手すり固定装置の下方を照明することができ、該明るさセンサ３３及び人感センサ３４はそれぞれ、本体１０の検知穴１０２に面すると共に、基板３１と電気接続するように、該基板３１に設置され、また、該明るさセンサ３３と人感センサ３４は、同一の検知穴１０２に面するように設置されてもよく、異なる検知穴１０２に面するように設置されてもよい。更に、前記発光ユニット３２は、前記人感センサ３４が検知穴１０２に面するように発光穴１０１に設置されることから、前記発光ユニット３２が発光しても、明るさセンサ３３の判断に影響しないため、明るさセンサ３３が周囲の明るさを精確に検知することができる。
【００２０】
前記固定座４０は、一端が本体１０に固定されると共に、他端が壁に固定される。前記装着座５０は、一側が本体１０に連接されると共に、他側に手すり部Ａが取り付けられる。尚、本実施例における固定座４０及び装着座５０は、上部材１１に設置される。
【００２１】
前記電源ユニット２０は、電源線及び変圧器を備え、該変圧器は本体１０の内部に設置され、該電源線は一端が本体１０に連接され、他端が本体１０の外部に延出して電源と電気接続される。また、前記固定座４０は中空状を呈することから、該電源線を通過させて壁に埋設してもよく、一方、前記手すり部Ａ及び装着座５０は中空状を呈することから、手すり部Ａ及び装着座５０を通過させて電源と電気接続させてもよい。
【００２２】
本考案に係る手すり固定装置を使用する時は、前記明るさセンサ３３により周囲の明るさを検知し、周囲が明るくなると、人感センサ３４が稼動しないことから、発光ユニット３２が発光することはないので、節電効果を有する。一方、周囲が暗くなれば、人感センサ３４が稼動することから、周囲の人間などが接近すると、発光ユニット３２を発光させて周囲や手すりの下方を明るく照らす。
【００２３】
図６乃至図８に示すように、本考案に係る手すり固定装置の第二実施例は、殆ど第一実施例と同一であるが、環状部６０ａを備える点において異なる。つまり、前記環状部６０ａは、電源ユニット２０ａと制御電路３０ａとの間に設置され、該環状部６０ａにおける、電源ユニット２０ａに面する箇所に極性表示６１ａが設置され、この構成によれば、極性表示６１ａを見て電源ユニット２０ａを正確に装着できる。尚、本実施例においては、極性表示６１ａが十字形を呈することから、電源ユニット２０ａの陽極が環状部６０ａに対応するように設置される。
【００２４】
更に、前記電源ユニット２０ａに、第一突起２１ａが制御電路３０ａに向かって凸設されると共に、環状部６０ａの中心を通過するように、制御電路３０ａに当接しながら電気接続する。尚、第二実施例においては、制御電路３０ａにも第二突起３５ａが電源ユニット２０ａに向かって凸設され、前記環状部６０ａは第二突起３５ａの周囲に環着される。
【００２５】
本実施例では、第一突起２１ａ及び第二突起３５ａの高さが環状部６０ａの厚さよりも低いが、第一突起２１ａ及び第二突起３５ａの高さの合計は、環状部６０ａの厚さよりも高いので、電源ユニット２０ａを正しく本体１０ａに設置すると、第一突起２１ａが第二突起３５ａに当接して電気接続することができ、一方、電源ユニット２０ａが異なる方向に設置されると、環状部６０ａが電源ユニット２０ａと制御電路３０ａとの間に介在することから、第一突起２１ａは第二突起３５ａと電気接続することができない。
【００２６】
他の実施例においては、制御電路３０ａが第二突起３５ａを有しなくてもよく、電源ユニット２０ａの第一突起２１ａの高さが、環状部６０ａの厚さより高く設定されればよい。この構成によれば、第一突起２１ａが環状部６０ａを通過して制御電路３０ａに当接しながら電気接続される。
さらに、第二実施例における本体１０ａは、発光ユニット３２と検知穴１０２との間にさらに遮光板１２３ａが設置されることから、発光ユニット３２からの光が遮光板１２３ａにより遮断されて検知穴１０２から漏れることはない。具体的には、前記遮光板１２３ａが、下部材１２ａの取付部１２２ａに固定され、取付部１２２ａが連接部１２１に取り付けられると、該遮光板１２３ａが下部材１２ａの内部に配置される。
【００２７】
本考案に係る手すり固定装置は、周囲の明るさに応じて照明を自動的に調整することができ、更に、人間などが接近すると、発光ユニット３２を自動的に駆動して周囲の壁や手すりの下方を照らすことができることから、手すりを装着すれば、手すりの周囲が暗くなっても、明るさセンサ３３及び人感センサ３４により照明を提供できるので、実用性及び安全性が向上する。
【符号の説明】
【００２８】
１０、１０ａ          本体
１０１                発光穴
１０２                検知穴
１１                  上部材
１２、１２ａ          下部材
１２１                連接部
１２２、１２２ａ      取付部
１２３ａ              遮光板
２０、２０ａ          電源ユニット
２１ａ                第一突起
３０、３０ａ          制御電路
３１                  基板
３２                  発光ユニット
３３                  明るさセンサ
３４                  人感センサ
３５ａ                第二突起
４０                  固定座
５０                  装着座
６０ａ                環状部
６１ａ                極性表示
Ａ                    手すり部
【図１】
0003215983.tif 000003
【図２】
0003215983.tif 000004
【図３】
0003215983.tif 000005
【図４】
0003215983.tif 000006
【図５】
0003215983.tif 000007
【図６】
0003215983.tif 000008
【図７】
0003215983.tif 000009
【図８】
0003215983.tif 000010